(57)【要約】【課題】中継放送中における電波の歪みの発生を防ぐことができ、明確な映像を放送することができる光信号中継システムを提供する。【解決手段】光信号中継システムの受信基地局１３は、移動中継車１１Ａ，１１Ｂから送信された電波を第１〜第４チャンネルの電波に等分する第１分配手段、その電波の当初周波数をそれよりも低い中間周波数に変更する周波数第１変更手段、その中間周波数から不要な周波数を除去して必要中間周波数のみを抽出する必要周波数抽出手段、その必要中間周波数のレベルを一定にするレベル調節手段、一定レベルに変更された必要中間周波数をそれよりも高い当初周波数と同一の光伝送用周波数に変更する周波数第２変更手段、光伝送用周波数に変更された第１〜第４チャンネルの電波を合成する第１合成手段、合成した電波を光信号に変換するＥ／Ｏ変換手段、その光信号を光回線を介して復調ユニットに光伝送する光信号送信手段を有する。【選択図】図１
2015070447.tif 000002
【特許請求の範囲】
【請求項１】
複数の移動局と、それら移動局の移動経路の周辺に設置されて各移動局から送信された電波を受信する複数の受信基地局とを備え、それら受信基地局が、それら移動局から受信した電波を光信号に変換しつつ、その光信号を光回線を介して復調ユニットに送信する光信号中継システムにおいて、  それら受信基地局が、前記移動局から送信された中継放送における電波を複数の第１〜第ｎチャンネルの電波に等分する第１分配手段と、前記第１〜第ｎチャンネルの電波の当初周波数をそれよりも低い中間周波数に変更する周波数第１変更手段と、前記第１〜第ｎチャンネルの電波の中間周波数から不要な周波数を除去して必要中間周波数のみを抽出する必要周波数抽出手段と、前記第１〜第ｎチャンネルの電波の必要中間周波数のレベルを一定にするレベル調節手段と、前記第１〜第ｎチャンネルの電波の一定レベルにした必要中間周波数をそれよりも高い前記当初周波数と同一の光伝送用周波数に変更する周波数第２変更手段と、前記光伝送用周波数に変更した第１〜第ｎチャンネルの電波を合成する第１合成手段と、前記合成した電波を光信号に変換するＥ／Ｏ変換手段と、前記合成した電波から変換した光信号を前記光回線を介して前記復調ユニットに光伝送する光信号送信手段とを有することを特徴とする光信号中継システム。
【請求項２】
前記第１〜第ｎチャンネルの電波の当初周波数が、１．２４〜２．３７ＧＨｚの範囲、前記周波数第１変更手段によって変更された後の中間周波数が、１０〜２００ＭＨｚの範囲にあり、前記周波数第１変更手段では、前記第１〜第ｎチャンネルの電波の当初周波数を同一の値の中間周波数に変更する請求項１に記載の光信号中継システム。
【請求項３】
前記周波数抽出手段では、前記第１〜第ｎチャンネルの電波の中間周波数から前記必要中間周波数を除いた残余の不要な周波数のレベルを４０〜８０ｄＢの範囲で減衰させる請求項１または請求項２に記載の光信号中継システム。
【請求項４】
前記復調ユニットが、それら受信基地局から光伝送された前記光信号の入力側の数をＮとするとともに該光信号の出力側の数をＭとしたときに、複数の前記光信号の中からＮ回線のうち任意のＭ回線の光信号に対応する電波を選択する電波選択手段を有する請求項１ないし請求項３いずれかに記載の光信号中継システム。
【請求項５】
前記復調ユニットが、それら受信基地局から送信された前記光信号を合成された電波に変換するＯ／Ｅ変換手段と、前記Ｏ／Ｅ変換手段によって変換した電波を複数の第１〜第ｎチャンネルの電波に等分する第２分配手段と、前記第２分配手段によって等分した第１〜第ｎチャンネルの電波を放送受信機に送信する電波送信手段とを含む請求項１ないし請求項４いずれかに記載の光信号中継システム。
【請求項６】
前記復調ユニットが、前記第２分配手段によって分配した第１〜第ｎチャンネルの電波の前記光伝送用周波数をそれよりも低い送出用周波数に変更する周波数第３変更手段を含み、前記電波送信手段では、前記周波数第３変更手段によって変更した送出用周波数の前記第１〜第ｎチャンネルの電波を前記放送受信機に送信する請求項５に記載の光信号中継システム。
【請求項７】
前記第１〜第ｎチャンネルの電波の光伝送用周波数が、１．２４〜２．３７ＧＨｚの範囲、前記周波数第３変更手段によって変更された後の送出用周波数が、１０〜２００ＭＨｚの範囲にあり、前記周波数第３変更手段では、前記第１〜第ｎチャンネルの電波の光伝送用周波数を同一の値の送出用周波数に変更する請求項６に記載の光信号中継システム。
【請求項８】
それら受信基地局が、前記周波数抽出手段によって抽出した必要中間周波数の第１〜第ｎチャンネルの電波から第１〜第ｎチャンネルのサンプル電波を分離するサンプル電波分離手段と、前記第1〜第ｎチャンネルのサンプル電波のレベルを検出するレベル検出手段と、前記レベル検出手段によって検出した第１〜第ｎチェンネルの検出レベルをアナログ信号からデジタル信号に変換するＡ／Ｄ変換手段と、前記Ａ／Ｄ変換手段によって変換したデジタル信号をシリアル通信用信号に変換するパラレル／シリアル信号変換手段と、前記パラレル／シリアル信号変換手段によって変換したシリアル通信用信号と搬送波とを用いて変調を行うデジタル変調手段と、前記電波と前記デジタル変調手段によって得られたデジタル変調信号とを合成する第２合成手段とを含み、前記Ｅ／Ｏ変換手段が、前記第２合成手段によって合成した電波およびデジタル変調信号を光信号に変換し、前記光信号送信手段が、その光信号を前記光回線を介して前記復調ユニットに送信し、前記復調ユニットが、それら受信基地局から送信された光信号を前記Ｏ／Ｅ変換手段によって電波とデジタル変調信号とに変換し、前記Ｏ／Ｅ変換手段によって変換した電波およびデジタル変調信号を該電波と該デジタル変調信号とに分離する第３分配手段と、前記第３分配手段によって分離した前記デジタル変調信号に基づいて前記サンプル電波のレベルを表示するレベル表示手段とを含む請求項１ないし請求項７いずれかに記載の光信号中継システム。
【請求項９】
前記復調ユニットが、それら受信基地局から光伝送された前記光信号の入力側の数をＮとするとともに該光信号の出力側の数をＭとしたときに、複数の前記光信号の中からＮ回線のうち任意のＭ回線の光信号に対応するデジタル変調信号を選択するデジタル変調信号選択手段を含む請求項８に記載の光信号中継システム。
【請求項１０】
前記復調ユニットが、前記第３分配手段によって分離した前記デジタル変調信号を第１〜第ｎアナログ信号に変換するＤ／Ａ変換手段を含み、前記レベル表示手段では、前記第１〜第ｎアナログ信号に基づいて前記第１〜第ｎチャンネルのサンプル電波のレベルをアナログ表示する請求項８または請求項９に記載の光信号中継システム。
【請求項１１】
前記電波選択手段では、前記レベル表示手段によって表示された前記第１〜第ｎチャンネルのサンプル電波のレベルを参照しつつ、Ｎ回線のうち任意のＭ回線のサンプル電波に対応する光信号を出力する請求項４ないし請求項１０いずれかに記載の光信号中継システム。
【請求項１２】
前記復調ユニットには、前記光信号の入力側の数Ｎが８であって該光信号の出力側の数Ｍが４の少なくとも１つの光スイッチが設置され、前記電波選択手段および前記デジタル変調信号選択手段では、前記１つの光スイッチを利用した場合において入力側の８回線のうち任意の４回線が選択可能である請求項９ないし請求項１１いずれかに記載の光信号中継システム。
【請求項１３】
前記光信号中継システムでは、前記第１〜第ｎチャンネルが第１〜第４チャンネルであり、前記第１〜第ｎデジタル信号が第１〜第４デジタル信号であり、前記第１〜第ｎアナログ信号が第１〜第４アナログ信号である請求項１２いずれかに記載の光信号中継システム。
【発明の詳細な説明】
【技術分野】
【０００１】
本発明は、移動局から受信した電波を各受信基地局が光信号に変換し、その光信号を光回線を介して復調ユニットに送信する光信号中継システムに関する。
【背景技術】
【０００２】
マラソンや駅伝、トライアスロン、自転車ロードレース等の長距離競技の中継放送では、移動中継車（移動局）や移動中継バイク（移動局）、撮影機材を搭載したヘリコプター（移動局）と、競技路の周辺に設置された複数の受信基地局とを利用し、競技をリアルタイムに放送する生放送が行われる。中継放送では、移動中継車に車載されたテレビジョンカメラや移動中継バイクに乗車したカメラマンが保持するテレビジョンカメラによって疾走する走者や自転車を撮影し、その映像を電波として各受信基地局に送信する。各受信基地局では、たとえば、各移動中継車や各移動中継バイクから受信した電波をマイクロ波によるアナログ伝送方式によってテレビ局（放送局）に送信する。なお、各受信基地局の受信機が受信状態判定手段を有し、受信基地局の受信状態を別回線でテレビ局に伝送する中継システム（特許文献１参照）や複数の受信基地局を経由する各電波伝送経路での電波の伝送時間の相違が位置検出手段の検出結果に応じて補正される中継システム（特許文献２参照）が開示されている。  
【０００３】
マイクロ波によるアナログ伝送方式によって電波をテレビ局に送信する場合、各受信基地局からテレビ局に送信する電波の送信距離が長いと、電波のレベル（電界強度）が低下し、明確な映像がテレビ局に届かず、テレビ局から映像を放送することができない場合がある。また、雷撃や他の電磁波によって不要なノイズが発生し、中継中の映像が乱れる場合がある。そのような事態を回避するため、受信基地局は、受信した電波を光信号に変換してその光信号を光回線を介してテレビ局に送信し、テレビ局は、受信基地局から送信された光信号を電波に変換する光伝送方式が採用されている。
【先行技術文献】
【特許文献】
【０００４】
【特許文献１】特開２００５−５１７５５号公報
【特許文献２】特開２００８−２３６２４４号公報
【発明の概要】
【発明が解決しようとする課題】
【０００５】
光伝送方式を採用した場合であっても、移動中継車や移動中継バイクを利用して走者や自転車を撮影するときに、中継車や中継バイクと各受信基地局との離間距離によって電波のレベル（電界強度）が変わるとともに、電波に不要な周波数の各種の妨害波が進入し、受信電波に歪みが発生する場合がある。電波に歪みが発生すると、映像の画質が低下して競技の中継放送において明確な映像を放送することができない。  
【０００６】
本発明の目的は、中継放送中における電波の歪みの発生を防ぐことができ、明確な映像を放送することができる光信号中継システムを提供することにある。
【課題を解決するための手段】
【０００７】
前記課題を解決するための本発明の前提は、中継放送に使用する複数の移動局と、それら移動局の移動経路の周辺に設置されて各移動局から送信された電波を受信する複数の受信基地局とを備え、それら受信基地局が、それら移動局から受信した電波を光信号に変換しつつ、その光信号を光回線を介して復調ユニットに送信する光信号中継システムである。  
【０００８】
前記前提における本発明の特徴は、それら受信基地局が、移動局から送信された中継放送における電波を複数の第１〜第ｎチャンネルの電波に等分する第１分配手段と、第１〜第ｎチャンネルの電波の当初周波数をそれよりも低い中間周波数に変更する周波数第１変更手段と、第１〜第ｎチャンネルの電波の中間周波数から不要な周波数を除去して必要中間周波数のみを抽出する必要周波数抽出手段と、第１〜第ｎチャンネルの電波の必要中間周波数のレベルを一定にするレベル調節手段と、第１〜第ｎチャンネルの電波の一定レベルにした必要中間周波数をそれよりも高い当初周波数と同一の光伝送用周波数に変更する周波数第２変更手段と、光伝送用周波数に変更した第１〜第ｎチャンネルの電波を合成する第１合成手段と、合成した電波を光信号に変換するＥ／Ｏ変換手段と、合成した電波から変換した光信号を光回線を介して復調ユニットに光伝送する光信号送信手段とを有することにある。  
【０００９】
本発明にかかる光信号中継システムの一例としては、第１〜第ｎチャンネルの電波の当初周波数が１．２４〜２．３７ＧＨｚの範囲、周波数第１変更手段によって変更された後の中間周波数が１０〜２００ＭＨｚの範囲にあり、周波数第１変更手段では、第１〜第ｎチャンネルの電波の当初周波数を同一の値の中間周波数に変更する。  
【００１０】
本発明にかかる光信号中継システムの他の一例として、周波数抽出手段では、第１〜第ｎチャンネルの電波の中間周波数から必要中間周波数を除いた残余の不要な周波数のレベルを４０〜８０ｄＢの範囲で減衰させる。
【００１１】
本発明にかかる光信号中継システムの他の一例としては、復調ユニットが、それら受信基地局から光伝送された光信号の入力側の数をＮとするとともに光信号の出力側の数をＭとしたときに、複数の光信号の中からＮ回線のうち任意のＭ回線の光信号に対応する電波を選択する電波選択手段を有する。
【００１２】
本発明にかかる光信号中継システムの他の一例としては、復調ユニットが、それら受信基地局から送信された光信号を合成された電波に変換するＯ／Ｅ変換手段と、Ｏ／Ｅ変換手段によって変換した電波を複数の第１〜第ｎチャンネルの電波に等分する第２分配手段と、第２分配手段によって等分した第１〜第ｎチャンネルの電波を放送受信機に送信する電波送信手段とを含む。
【００１３】
本発明にかかる光信号中継システムの他の一例としては、復調ユニットが、第２分配手段によって分配した第１〜第ｎチャンネルの電波の光伝送用周波数をそれよりも低い送出用周波数に変更する周波数第３変更手段を含み、電波送信手段では、周波数第３変更手段によって変更した送出用周波数の第１〜第ｎチャンネルの電波を放送受信機に送信する。
【００１４】
本発明にかかる光信号中継システムの他の一例としては、第１〜第ｎチャンネルの電波の光伝送用周波数が１．２４〜２．３７ＧＨｚの範囲、周波数第３変更手段によって変更された後の送出用周波数が１０〜２００ＭＨｚの範囲にあり、周波数第３変更手段では、第１〜第ｎチャンネルの電波の光伝送用周波数を同一の値の送出用周波数に変更する。
【００１５】
本発明にかかる光信号中継システムの他の一例としては、それら受信基地局が、周波数抽出手段によって抽出した必要中間周波数の第１〜第ｎチャンネルの電波から第１〜第ｎチャンネルのサンプル電波を分離するサンプル電波分離手段と、第1〜第ｎチャンネルのサンプル電波のレベルを検出するレベル検出手段と、レベル検出手段によって検出した第１〜第ｎチェンネルの検出レベルをアナログ信号からデジタル信号に変換するＡ／Ｄ変換手段と、Ａ／Ｄ変換手段によって変換したデジタル信号をシリアル通信用信号に変換するパラレル／シリアル信号変換手段と、パラレル／シリアル信号変換手段によって変換したシリアル通信用信号と搬送波とを用いて変調を行うデジタル変調手段と、電波とデジタル変調手段によって得られたデジタル変調信号とを合成する第２合成手段とを含み、Ｅ／Ｏ変換手段が第２合成手段によって合成した電波およびデジタル変調信号を光信号に変換し、光信号送信手段がその光信号を光回線を介して復調ユニットに送信し、復調ユニットが、それら受信基地局から送信された光信号をＯ／Ｅ変換手段によって電波とデジタル変調信号とに変換し、Ｏ／Ｅ変換手段によって変換した電波およびデジタル変調信号を該電波と該デジタル変調信号とに分離する第３分配手段と、第３分配手段によって分離したデジタル変調信号に基づいてサンプル電波のレベルを表示するレベル表示手段とを含む。
【００１６】
本発明にかかる光信号中継システムの他の一例としては、復調ユニットが、それら受信基地局から光伝送された光信号の入力側の数をＮとするとともに光信号の出力側の数をＭとしたときに、複数の光信号の中からＮ回線のうち任意のＭ回線の光信号に対応するデジタル変調信号を選択するデジタル変調信号選択手段を含む。
【００１７】
本発明にかかる光信号中継システムの他の一例としては、復調ユニットが第３分配手段によって分離したデジタル変調信号を第１〜第ｎアナログ信号に変換するＤ／Ａ変換手段を含み、レベル表示手段では、第１〜第ｎアナログ信号に基づいて第１〜第ｎチャンネルのサンプル電波のレベルをアナログ表示する。
【００１８】
本発明にかかる光信号中継システムの他の一例として、電波選択手段では、レベル表示手段によって表示された第１〜第ｎチャンネルのサンプル電波のレベルを参照しつつ、Ｎ回線のうち任意のＭ回線のサンプル電波に対応する光信号を出力する。
【００１９】
本発明にかかる光信号中継システムの他の一例として、復調ユニットには、光信号の入力側の数Ｎが８であって光信号の出力側の数Ｍが４の少なくとも１つの光スイッチが設置され、電波選択手段およびデジタル変調信号選択手段では、１つの光スイッチを利用した場合において入力側の８回線のうち任意の４回線が選択可能である。  
【００２０】
本発明にかかる光信号中継システムの他の一例として、光信号中継システムでは、第１〜第ｎチャンネルが第１〜第４チャンネルであり、第１〜第ｎデジタル信号が第１〜第４デジタル信号であり、第１〜第ｎアナログ信号が第１〜第４アナログ信号である。
【発明の効果】
【００２１】
本発明にかかる光信号中継システムによれば、周波数が高い状態で不要な周波数（妨害波）を除去しつつ必要な周波数のみを抽出することは困難であるが、各受信基地局が第１〜第ｎチャンネルの電波の当初周波数をそれよりも低い中間周波数に変更した後、第１〜第ｎチャンネルの電波の中間周波数から不要な周波数（妨害波）を除去して必要中間周波数のみを抽出するから、周波数が高い状態で不要な周波数を除去しつつ必要な周波数のみを抽出する場合と比較し、不要な周波数を確実に除去することができるとともに、必要な中間周波数のみを確実に抽出することができる。光信号中継システムは、当初周波数を中間周波数に変更することで、第１〜第ｎチャンネルの電波の中間周波数から不要な周波数（妨害波）を確実に除去することができるから、電波のＤＵ比の影響を少なくすることができるとともに、中継放送中における電波の歪みの発生を防ぐことができ、放送局において明確な映像を放送することができる。光信号中継システムは、第１〜第ｎチャンネルの電波の必要中間周波数のレベルを一定にするから、第１〜第ｎチャンネルの電波のレベルを所定のそれに保持することができ、レベルのバラツキがない一定レベルの電波を復調ユニットに送信することができる。光信号中継システムは、電波を光信号に変換し、その光信号を光回線を介して復調ユニットに送信するから、雷撃や他の電磁波の影響を受けることはなく、伝送中における光信号の劣化もなく、各受信基地局が受信した電波と略同一のレベルや略同一の画質の電波を復調ユニットに送信することができる。  
【００２２】
第１〜第ｎチャンネルの電波の当初周波数が１．２４〜２．３７ＧＨｚの範囲、第１〜第ｎチャンネルの電波の当初周波数から変更された後の中間周波数が１０〜２００ＭＨｚの範囲にあり、周波数第１変更手段において、第１〜第ｎチャンネルの電波の当初周波数を同一の値の中間周波数に変更する光信号中継システムは、各受信基地局が第１〜第ｎチャンネルの電波の当初周波数を前記範囲の中間周波数に変更した後、第１〜第ｎチャンネルの電波の中間周波数から不要な周波数（妨害波）を除去して必要中間周波数のみを抽出するから、前記範囲の当初周波数のまま状態から不要な周波数を除去しつつ必要な周波数のみを抽出する場合と比較し、不要な周波数を確実に除去することができるとともに、必要な中間周波数のみを確実に抽出することができる。光信号中継システムは、１．２４〜２．３７ＧＨｚの範囲の当初周波数を１０〜２００ＭＨｚの範囲の中間周波数に変更することで、第１〜第ｎチャンネルの電波の中間周波数から不要な周波数（妨害波）を確実に除去することができるから、電波のＤＵ比の影響を少なくすることができるとともに、中継放送中における電波の歪みの発生を防ぐことができ、放送局において明確な映像を放送することができる。  
【００２３】
周波数抽出手段において、第１〜第ｎチャンネルの電波の中間周波数から必要中間周波数を除いた残余の不要な周波数のレベルを４０〜８０ｄＢの範囲で減衰させる光信号中継システムは、不要な周波数のレベルを４０〜８０ｄＢの範囲で減衰させることで、中間周波数から不要な周波数を確実に除去することができるとともに、第１〜第ｎチャンネルの電波から必要な中間周波数のみを確実に抽出することができる。光信号中継システムは、不要な周波数のレベルを４０〜８０ｄＢの範囲で減衰させることで、第１〜第ｎチャンネルの電波の中間周波数から不要な周波数（妨害波）を確実に除去することができるから、電波のＤＵ比の影響を少なくすることができるとともに、中継放送中における電波の歪みの発生を防ぐことができ、放送局において明確な映像を放送することができる。  
【００２４】
復調ユニットが複数の光信号の中からＮ回線のうち任意のＭ回線の光信号に対応する電波を選択する光信号中継システムは、Ｎ回線から任意のＭ回線の光信号に対応する電波を選択することができるから、各受信基地局から送信された複数の電波から画質が良好なそれを選択することができ、視聴者に明確かつ見易い映像を提供することができる。  
【００２５】
復調ユニットがそれら受信基地局から送信された光信号を合成された電波に変換し、その電波を複数の第１〜第ｎチャンネルの電波に等分するとともに、等分した第１〜第ｎチャンネルの電波を放送受信機に送信する光信号中継システムは、各受信基地局において不要な周波数（妨害波）が除去されて光信号に変換された電波が各受信基地局から復調ユニットに送信され、その光信号を再び電波に変換し、復調ユニットがその電波を放送受信機に送信するから、ＤＵ比の影響が少なく良好な画質の映像を放送することができ、視聴者に明確かつ見易い映像を提供することができる。光信号中継システムは、各受信基地局において一定レベルにされて光信号に変換された電波が各受信基地局から復調ユニットに送信され、復調ユニットがその光信号を再び電波に変換してその電波を放送受信機に送信するから、一定のレベルにある映像を放送することができ、視聴者に一定レベルの映像を提供することができる。  
【００２６】
復調ユニットが第２分配手段によって分配した第１〜第ｎチャンネルの電波の光伝送用周波数をそれよりも低い送出用周波数に変更し、電波送信手段において、その送出用周波数の第１〜第ｎチャンネルの電波を放送受信機に送信する光信号中継システムは、不要な周波数（妨害波）が除去されて各受信基地局から送信された第１〜第ｎチャンネルの電波の周波数を各放送受信機に対応した送出用の周波数に変更し、その周波数の電波を各放送受信機に送信するから、各放送受信機において良好かつ明確な画質の映像を放送することができる。光信号中継システムは、一定レベルされて各受信基地局から送信された第１〜第ｎチャンネルの電波の周波数を各放送受信機に対応した送出用の周波数に変更し、その周波数の電波を各放送受信機に送信するから、各放送受信機において一定レベルの映像を放送することができる。  
【００２７】
第１〜第ｎチャンネルの電波の光伝送用周波数が１．２４〜２．３７ＧＨｚの範囲、第１〜第ｎチャンネルの電波の光伝送用周波数から変更された後の送出用中間周波数が１０〜２００ＭＨｚの範囲にあり、周波数第３変更手段において、第１〜第ｎチャンネルの電波の光伝送用周波数を同一の値の送出用波数に変更する光信号中継システムは、復調ユニットが不要な周波数（妨害波）が除去された第１〜第ｎチャンネルの電波の光伝送用周波数を前記範囲の送出用周波数に変更した後、各放送受信機に対応した送出用周波数の電波を各放送受信機に送信するから、各放送受信機において良好かつ明確な画質の映像を放送することができる。光信号中継システムは、復調ユニットが一定レベルにされた第１〜第ｎチャンネルの電波の光伝送用周波数を前記範囲の送出用周波数に変更した後、各放送受信機に対応した送出用周波数の電波を各放送受信機に送信するから、各放送受信機において一定レベルの映像を放送することができる。  
【００２８】
それら受信基地局が必要中間周波数の第１〜第ｎチャンネルの電波から第１〜第ｎチャンネルのサンプル電波を分離し、第1〜第ｎチャンネルのサンプル電波のレベルを検出するとともに、第１〜第ｎチェンネルの検出レベルをアナログ信号からデジタル信号に変換しつつ、そのデジタル信号をシリアル通信用信号に変換し、そのシリアル通信用信号と搬送波とを用いて変調を行った後、電波と前記デジタル変調手段によって得られたデジタル変調信号とを合成する第２合成手段とを含み、Ｅ／Ｏ変換手段が第２合成手段によって合成した電波とデジタル変調信号とを光信号に変換し、光信号送信手段がその光信号を光回線を介して復調ユニットに送信し、復調ユニットが、それら受信基地局から送信された光信号を前記Ｏ／Ｅ変換手段によって電波とデジタル変調信号とに変換し、Ｏ／Ｅ変換手段によって変換した電波とデジタル変調信号とを電波とデジタル変調信号とに分離し、分離したデジタル変調信号に基づいてサンプル電波のレベル（電界強度）を表示する光信号中継システムは、中継放送において移動局と各受信基地局との離間距離によって電波のレベルが変わるが、それら電波のレベルを表示することで、各サンプル電波に対応する各電波のレベルを知ることができ、良好なレベルの電波を選択してその電波を各放送受信機に送信することができる。光信号中継システムは、良好なレベルの電波を各放送受信機に送信することができるから、各放送受信機において良好かつ明確な画質の映像を放送することができる。  
【００２９】
復調ユニットが複数の光信号の中からＮ回線のうち任意のＭ回線の光信号に対応するデジタル変調信号を選択する光信号中継システムは、Ｎ回線から任意のＭ回線の光信号に対応するデジタル変調信号を選択することで、選択したデジタル変調信号に基づいてサンプル電波のレベル（電界強度）が表示されるから、各サンプル電波に対応する各電波のレベルを知ることができ、良好なレベルの電波を選択してその電波を各放送受信機に送信することができる。光信号中継システムは、各サンプル電波のレベルを確認しつつ、良好なレベルの電波を選択ることができるから、各放送受信機において良好かつ明確な画質の映像を放送することができる。  
【００３０】
復調ユニットがデジタル変調信号を第１〜第ｎアナログ信号に変換し、レベル表示手段において、第１〜第ｎアナログ信号に基づいて第１〜第ｎチャンネルのサンプル電波のレベルをアナログ表示する光信号中継システムは、各サンプル電波のレベルがアナログ表示されるから、サンプル電波のレベルを視認し易く、各サンプル電波に対応する各電波のレベルを容易に知ることができる。光信号中継システムは、各サンプル電波のレベルを確認しつつ、良好なレベルの電波を選択ることができ、各放送受信機において良好かつ明確な画質の映像を放送することができる。  
【００３１】
電波選択手段において、レベル表示手段によって表示された第１〜第ｎチャンネルのサンプル電波のレベルを参照しつつ、Ｎ回線のうち任意のＭ回線のサンプル電波に対応する光信号を出力する光信号中継システムは、各サンプル電波のレベルを確認しつつ、良好なレベルの電波を選択することができるから、各受信基地局から送信された複数の電波から画質が良好かつ明確なそれを選択することができ、視聴者に明確かつ見易い映像を提供することができる。  
【００３２】
光信号の入力側の数Ｎが８であって光信号の出力側の数Ｍが４の少なくとも１つの光スイッチが復調ユニットに設置され、電波選択手段およびデジタル変調信号選択手段において、１つの光スイッチを利用した場合、入力側の８回線のうち任意の４回線が選択可能な光信号中継システムは、１つの光スイッチを利用した場合において、入力側の８回線のうち任意の４回線の光信号を選択し、その光信号に対応する電波を選択することができるから、各受信基地局から送信された複数の電波から画質が良好かつ明確なそれを選択することができ、視聴者に明確かつ見易い映像を提供することができる。また、入力側の８回線のうち任意の４回線のデジタル信号を選択し、そのデジタル信号に基づいてサンプル電波のレベル（電界強度）が表示されるから、各サンプル電波に対応する各電波のレベルを知ることができ、良好なレベルの電波を選択してその電波を各放送受信機に送信することができる。  
【００３３】
第１〜第ｎチャンネルが第１〜第４チャ
ンネルであり、第１〜第ｎデジタル信号が第１〜第４デジタル信号であり、第１〜第ｎアナログ信号が第１〜第４アナログ信号である光信号中継システムは、１つの受信基地局から４チャンネルの電波が送信され、それら４チャンネルの電波の中間周波数から不要な周波数を除去するから、中継放送中における４チャンネルの電波の歪みの発生を防ぐことができ、放送局において明確な映像を放送することができる。
【図面の簡単な説明】
【００３４】
【図１】一例として示す光信号中継システムの概略構成図。
【図２】移動中継車と受信基地局と復調ユニットとの間の電波の伝送の一例を示す図
【図３】陸上競技場内に施設されたテレビジョン放送室のモニタールームの一例を示す図。
【図４】一例として示す受信基地局の構成図。
【図５】一例として示す復調ユニットの構成図。
【図６】一例として示す復調ユニットの構成図。
【図７】復調ユニットを形成する光スイッチの構成図。
【図８】他の一例として示す光信号中継システムの受信基地局の構成図。
【図９】光信号中継システムの復調ユニットの構成図。
【図１０】光信号中継システムの復調ユニットの構成図。
【発明を実施するための形態】
【００３５】
一例として示す光信号中継システム１０Ａの概略構成図である図１等の添付の図面を参照し、本発明にかかる光信号中継システムの詳細を説明すると、以下のとおりである。なお、図２は、移動中継車１１Ａ，１１Ｂと受信基地局１３と復調ユニット１４との間の電波の伝送の一例を示す図であり、図３は、陸上競技場１５内に施設されたテレビジョン放送室１６のモニタールーム１７の一例を示す図である。図１では、光回線１９（光ファイバケーブル）の図示を省略している。  
【００３６】
光信号中継システム１０Ａ（後記する光信号中継システム１０Ｂを含む）は、マラソンや駅伝等の陸上競技の長距離種目、トライアスロン等の耐久レース、自転車レースや公道バイクレース等のロードレースの中継放送においてそれらの各競技をリアルタイムに放送する生放送に利用される。この実施の形態では、マラソン競技を例として光信号中継システム１０Ａや光信号中継システム１０Ｂを説明する。  
【００３７】
光信号中継システム１０Ａは、中継放送に使用するテレビジョン放送用の複数台の移動中継車１１Ａ，１１Ｂ（移動局）と、マラソンコース１２（移動局の移動経路）の周辺に設置された複数の受信基地局１３と、復調ユニット１４（図５，６参照）とから形成されている。復調ユニット１４は、陸上競技場１５内に施設されたテレビジョン放送室１６（テレビ局１６）に設置されている。テレビジョン放送室１６には、モニタールーム１７が設けられている。  
【００３８】
なお、移動中継車１１Ａ，１１Ｂの他に、カメラマンを乗せた複数台の移動中継バイクや撮影機材を搭載したヘリコプター、撮影機材を搭載したモーターボートを移動局とすることもできる。図１では、２台の移動中継車１１Ａ，１１Ｂを図示しているが、移動中継車の台数を２台に制限するものではなく、３台以上の移動中継車を利用することもできる。また、受信基地局１３の数も図示のそれに制限されるものではない。  
【００３９】
移動中継車１１Ａ，１１Ｂには、車体後部にテレビジョンカメラや集音マイクが設置されているとともに、実況席が作られている（図示せず）。移動中継車１１Ａ，１１Ｂは、陸上競技場のマラソンゲートを通過したマラソンランナー１８がマラソンコース１２（公道）に出ると、そのランナー１８の前方に位置して疾走するランナー１８とともにマラソンコース１２を走行しつつ、テレビジョンカメラによってレース中のランナー１８を撮影するとともに集音マイクによって音声（音波）を集める。移動中継車１１Ａ，１１Ｂは、テレビジョンカメラによって撮影した映像（音声を含む）を電波としてそれら受信基地局１３に送信する。移動中継車１１Ａ，１１Ｂから各受信基地局１３に送信される電波には、１．２４〜２．３７ＧＨｚの周波数帯域の電波が使用される。移動中継車１１Ａからは、２チャンネルの電波が受信基地局１３に送信され、移動中継車１１Ｂからは、２チャンネルの電波が受信基地局１３に送信される。  
【００４０】
それら受信基地局１３は、マラソンレースの少なくとも前日までにマラソンコース１２の周辺に設置される。受信基地局１３は、移動中継車１１Ａ，１１Ｂから送信された電波を受信し、受信した電波を光信号として復調ユニット１４に送信する。受信基地局１３から復調ユニット１４への光信号の送信は、光回線１９（光ファイバケーブル）を利用して行われる。復調ユニット１４は、各受信基地局１３から送信された光信号を電波に戻し、その電波を放送受信機（図示せず）に送信する。  
【００４１】
テレビジョン放送室１６のモニタールーム１７には、複数台のモニター２０ａ〜２０ｐと複数のレベルゲージ２１ａ〜２１ｐとが設置されている。テレビジョン放送室１６の各スタッフは、それらモニター２０ａ〜２０ｐやそれらレベルゲージ２１ａ〜２１ｐを確認しつつ、光スイッチ３１を利用して放送チャンネルの切替を行う。  
【００４２】
図４は、一例として示す受信基地局１３の構成図であり、図５，６は、一例として示す復調ユニット１４の構成図である。図７は、復調ユニット１４を形成する光スイッチ３１の構成図である。図５は、復調ユニット１４のうちの光スイッチ３１から分配器３３ａ〜３３ｄまでの復調ユニット１４の構成を示し、図６は、復調ユニット１４のうちの分配器３３ａ〜３３ｄから後の復調ユニット１４の構成を示す。図７では、光スイッチ３１における光信号の選択の一例を示す。  
【００４３】
各受信基地局１３は、移動中継車１１Ａ，１１Ｂから送信された電波を受信するアンテナ２２、分配器２３、４つの周波数第１変更装置２４ａ〜２４ｄ、４つのバンドパスフィルタ２５ａ〜２５ｄ（帯域通過フィルタ）（ＢＰＦ）、４つのオートゲインコントロール２６ａ〜２６ｄ（ＡＧＣ）、４つの周波数第２変更装置２７ａ〜２７ｄ、合成器２８、Ｅ／Ｏ変換装置２９から形成されている。それら受信基地局１３は、第１分配手段、周波数第１変更手段、必要周波数抽出手段、レベル調節手段、周波数第２変更手段、第１合成手段、Ｅ／Ｏ変換手段、光信号送信手段の各手段を実行する。  
【００４４】
それら受信基地局１３では、マラソンの中継放送において移動中継車１１Ａ，１１Ｂから送信された電波をアンテナ２２が受信する。アンテナ２２は、給電線（同軸ケーブル）によって分配器２３に電気的に接続され、電波がアンテナ２２から分配器２３に伝送される。分配器２３からは第１〜第４伝送路３０ａ〜３０ｄが分岐し、周波数第１変更装置２４ａ〜２４ｄがそれら伝送路３０ａ〜３０ｄを形成する給電線（同軸ケーブル）によって分配器２３に電気的に接続されている。分配器２３では、電波を第１〜第４チャンネル（第１〜第ｎチャンネル）の電波に等分（分配）する（第１分配手段）。  
【００４５】
分配器２３は、第１チャンネルの電波を第１伝送路３０ａに送信し、第２チャンネルの電波を第２伝送路３０ｂに送信する。第１チャンネルの電波の周波数（当初周波数）の一例は、１２５２ＭＨｚであり、第２チャンネルの電波の周波数（当初周波数）の一例は、１２７０ＭＨｚである。分配器２３は、第３チャンネルの電波を第３伝送路３０ｃに送信し、第４チャンネルの電波を第４伝送路３０ｄに送信する。第３チャンネルの電波の周波数（当初周波数）の一例は、２３４１ＭＨｚであり、第４チャンネルの電波の周波数（当初周波数）の一例は、２３５９ＭＨｚである。  
【００４６】
なお、受信基地局１３（分配器２３）では、移動中継車１１Ａ，１１Ｂからの電波を第１〜第４チャンネルの電波に等分しているが、電波を第１〜第ｎチャンネルのそれに等分することもできる。たとえば、電波が第１〜第８チャンネルのそれらに等分された場合、受信基地局１３には、第１〜第８伝送路が形成され、８つの周波数第１変更装置、８つのバンドパスフィルタ、８つのオートゲインコントロール、８つの周波数第２変更装置が設置される。  
【００４７】
第１伝送路３０ａでは、周波数第１変更装置２４ａ、バンドパスフィルタ２５ａ、オートゲインコントロール２６ａ、周波数第２変更装置２７ａが周波数第１変更装置２４ａ→バンドパスフィルタ２５ａ→オートゲインコントロール２６ａ→周波数第２変更装置２７ａの順で第１伝送路３０ａ（給電線）に電気的に接続されている。第２伝送路３０ｂでは、周波数第１変更装置２４ｂ、バンドパスフィルタ２５ｂ、オートゲインコントロール２６ｂ、周波数第２変換装置２７ｂが周波数第１変換装置２４ｂ→バンドパスフィルタ２５ｂ→オートゲインコントロール２６ｂ→周波数第２変更装置２７ｂの順で第２伝送路３０ｂ（給電線）に電気的に接続されている。  
【００４８】
第３伝送路３０ｃでは、周波数第１変更装置２４ｃ、バンドパスフィルタ２５ｃ、オートゲインコントロール２６ｃ、周波数第２変更装置２７ｃが周波数第１変更装置２４ｃ→バンドパスフィルタ２５ｃ→オートゲインコントロール２６ｃ→周波数第２変更装置２７ｃの順で第３伝送路３０ｃ（給電線）に電気的に接続されている。第４伝送路３０ｄでは、周波数第１変更装置２４ｄ、バンドパスフィルタ２５ｄ、オートゲインコントロール２６ｄ、周波数第２変更装置２７ｄが周波数第１変更装置２４ｄ→バンドパスフィルタ２５ｄ→オートゲインコントロール２６ｄ→周波数第２変更装置２７ｄの順で第４伝送路３０ｄ（給電線）に電気的に接続されている。  
【００４９】
移動中継車１１Ａ，１１Ｂからの電波をアンテナ２２が受信し、分配器２３（第１分配手段）によって等分された第１チャンネルの電波が第１伝送路３０ａから周波数第１変更装置２４ａに伝送される。周波数第１変更装置２４ａは、第１チャンネルの電波の当初周波数（１２５２ＭＨｚ）をそれよりも低い１５０ＭＨｚの中間周波数（IF:Intermediate Frequency）に変更（ダウンコンバート）する（周波数第１変更手段）。  
【００５０】
周波数第１変更装置２４ａ（周波数第１変更手段）によって当初周波数から中間周波数に変更された第１チャンネルの電波は、周波数第１変更装置２４ａからバンドパスフィルタ２５ａに伝送される。バンドパスフィルタ２５ａは、第１チャンネルの電波の中間周波数から不要な周波数を除去して必要中間周波数のみを抽出する（必要周波数抽出手段）。バンドパスフィルタ２５ａでは、第１チャンネルの電波の中間周波数から必要中間周波数を除いた残余の不要な周波数のレベル（電界強度）を４０〜８０ｄＢの範囲で減衰させる。バンドパスフィルタ２５ａは、不要な周波数のレベルを４０〜８０ｄＢの範囲で減衰させるから、中間周波数から不要な周波数を確実に除去することができ、第１チャンネルの電波から必要な中間周波数のみを抽出することができる。  
【００５１】
バンドパスフィルタ２５ａ（必要周波数抽出手段）によって不要な周波数が除去された必要中間周波数の第１チャンネルの電波は、バンドパスフィルタ２５ａからオートゲインコントロール２６ａに伝送される。オートゲインコントロール２６ａは、第１チャンネルの電波の必要中間周波数のレベル（電界強度）が弱い場合、レベルを上げて一定のレベル（設定レベル）に調節し、第１チャンネルの電波の必要中間周波数のレベル（電界強度）が強い場合、レベルを下げて一定のレベル（設定レベル）に調節する（レベル調節手段）。  
【００５２】
オートゲインコントロール２６ａ（レベル調節手段）によって必要中間周波数のレベルが一定に調節された第１チャンネルの電波は、オートゲインコントロール２６ａから周波数第２変更装置２７ａに伝送される。周波数第２変更装置２７ａは、第１チャンネルの電波の一定レベルに調節された必要中間周波数（１５０ＭＨｚ）をそれよりも高い当初周波数と同一の光伝送用周波数（光伝送用周波数の一例として１２５２ＭＨｚ）に変更（アップコンバート）する（周波数第２変更手段）。周波数第２変更装置２７ａ（周波数第２変更手段）によって中間周波数から光伝送用周波数に変更された第１チャンネルの電波は、周波数第２変更装置２７ａから合成
器２８に伝送される。  
【００５３】
第２伝送路３０ｂ〜第４伝送路３０ｄでは、第１伝送路３０ａと同様に、周波数第１変更装置２４ｂ〜２４ｄが分配器２３（第１分配手段）によって等分された第２〜第４チャンネルの電波の当初周波数（１２７０ＭＨｚ，２３４１ＭＨｚ，２３５９ＭＨｚ）をそれよりも低い１５０ＭＨｚの中間周波数に変更（ダウンコンバート）する（周波数第１変更手段）。それら周波数第１変更装置２４ｂ〜２４ｄ（周波数第１変更手段）によって当初周波数から中間周波数に変更された第２〜第４チャンネルの電波が周波数第１変更装置２４ｂ〜２４ｄからバンドパスフィルタ２５ｂ〜２５ｄに伝送され、それらバンドパスフィルタ２５ｂ〜２５ｄが第２〜第４チャンネルの電波の中間周波数から不要な周波数を除去して必要中間周波数のみを抽出する（必要周波数抽出手段）。  
【００５４】
それらバンドパスフィルタ２５ｂ〜２５ｄでは、第２〜第４チャンネルの電波の中間周波数から必要中間周波数を除いた残余の不要な周波数のレベルを４０〜８０ｄＢの範囲で減衰させる。バンドパスフィルタ２５ｂ〜２５ｄは、不要な周波数のレベルを４０〜８０ｄＢの範囲で減衰させるから、中間周波数から不要な周波数を確実に除去することができ、第２〜第４チャンネルの電波から必要な中間周波数のみを抽出することができる。  
【００５５】
それらバンドパスフィルタ２５ｂ〜２５ｄ（必要周波数抽出手段）によって不要な周波数が除去された必要中間周波数の第２〜第４チャンネルの電波がバンドパスフィルタ２５ｂ〜２５ｄからそれらオートゲインコントロール２６ｂ〜２６ｄに伝送され、それらオートゲインコントロール２６ｂ〜２６ｄが第２〜第４チャンネルの電波の必要中間周波数のレベルを一定のレベル（設定レベル）に調節する（レベル調節手段）。  
【００５６】
オートゲインコントロール２６ｂ〜２６ｄ（レベル調節手段）によって必要中間周波数のレベルが一定にされた第２〜第４チャンネルの電波がオートゲインコントロール２６ｂ〜２６ｄからそれら周波数第２変更装置２７ｂ〜２７ｄに伝送され、それら周波数第２変更装置２７ｂ〜２７ｄが第２〜第４チャンネルの電波の一定レベルに調節された必要中間周波数（１５０ＭＨｚ）をそれよりも高い当初周波数と同一の光伝送用周波数（光伝送用周波数の一例として１２７０ＭＨｚ，２３４１ＭＨｚ，２３５９ＭＨｚ）に変更（アップコンバート）する（周波数第２変更手段）。  
【００５７】
周波数第２変更装置２７ｂ〜２７ｄによって中間周波数から光伝送用周波数に変更された第２〜第４チャンネルの電波は、周波数第２変更装置２７ｂ〜２７ｄから合成器２８に伝送される。なお、周波数第１変更装置２４ａ〜２４ｄでは、第１伝送路３０ａ〜第４伝送路３０ｄにおいて当初周波数をすべて同一の１５０ＭＨｚの中間周波数に変更する。ただし、中間周波数を１５０ＭＨｚに限定するものではなく、１０〜２００ＭＨｚの範囲から中間周波数を自由に選択することができる。  
【００５８】
光伝送用周波数に変更された第１〜第４チャンネル（第１〜第ｎチャンネル）の電波は、周波数第２変更装置２７ａ〜２７ｄから合成器２８に伝送される。合成器２８は、光伝送用周波数に変更された第１〜第４チャンネルの電波を合成する（第１合成手段）。合成器２８（第１合成手段）によって合成された電波は、合成器２８からＥ／Ｏ変換装置２９に伝送される。Ｅ／Ｏ変換装置２９は、光回線１９によって復調ユニット１４に光伝送可能に接続されている。Ｅ／Ｏ変換装置２９は、合成された電波を光信号に変換するとともに（Ｅ／Ｏ変換手段）、その電波から変換された光信号（レーザ光）を光回線１９を介して復調ユニット１４に送信する（光信号送信手段）。  
【００５９】
復調ユニット１４は、光スイッチ３１と、４つのＯ／Ｅ変換装置３２ａ〜３２ｄと、４つの分配器３３ａ〜３３ｄと、１６の周波数第３変更装置３４ｂ〜３４ｐとから形成されている。復調ユニット１４は、電波選択手段、Ｏ／Ｅ変換手段、第２分配手段、周波数第３変更手段、電波送信手段、電波選択手段の各手段を実行する。  
【００６０】
なお、図５では、光スイッチ３１を１つだけ図示しているが、実際には、マラソンコース１２の周辺に設置された受信基地局１３の数に対応（それら受信基地局１３を光回線１９を介して接続）する複数の光スイッチ３１が復調ユニット１４に設置される。たとえば、２つの光スイッチ３１が設置された場合、それら２つの光スイッチ３１毎に、４つのＯ／Ｅ変換装置３２ａ〜３２ｄ、４つの分配器３３ａ〜３３ｄ、１６の周波数第３変更装置３４ｂ〜３４ｐが設置される。  
【００６１】
光スイッチ３１は、図７に示すように、第１〜第８光増幅器３５ａ〜３５ｈと、第１〜第８光分配器（１×４）３６ａ〜３６ｈと、第１〜第４光スイッチ（８×１）３７ａ〜３７ｄとから形成されている。それら光増幅器３５ａ〜３５ｈには、各受信基地局１３から延びる光回線１９が接続されている。各受信基地局１３から光伝送された光信号は、それら光増幅器３５ａ〜３５ｈによって光強度が増幅され、第１〜第８光分配器３６ａ〜３６ｈによって４分配された後、第１〜第４光スイッチ３７ａ〜３７ｄに伝送される。  
【００６２】
光スイッチ３７ａ〜３７ｄの出力端子と各Ｏ／Ｅ変換装置３２ａ〜３２ｄとは、光ファイバによって光伝送可能に接続されている。各Ｏ／Ｅ変換装置３２ａ〜３２ｄと各分配器３３ａ〜３３ｄとは、給電線によって電気的に接続されている。各分配器３３ａ〜３３ｄと各周波数第３変更装置３４ｂ〜３４ｐとは、給電線によって電気的に接続されている。  
【００６３】
光スイッチ３１では、第１光スイッチ（８×１）３７ａが第１〜第８光分配器（１×４）３６ａ〜３６ｈのうちの少なくとも１つのそれに接続され、第２光スイッチ（８×１）３７ｂが第１〜第８光分配器（１×４）３６ａ〜３６ｈのうちの少なくとも１つのそれに接続されるとともに、第３光スイッチ（８×１）３７ｃが第１〜第８光分配器（１×４）３６ａ〜３６ｈのうちの少なくとも１つのそれに接続され、第４光スイッチ（８×１）３７ｄが第１〜第８光分配器（１×４）３６ａ〜３６ｈのうちの少なくとも１つのそれに接続される。  
【００６４】
したがって、第１〜第４光スイッチ（８×１）３７ａ〜３７ｄは、最小１つ（第１〜第８光分配器（１×４）３６ａ〜３６ｈのうちのいずれか１つ）から最大８つの入力端子（第１〜第８光分配器（１×４）３６ａ〜３６ｈのすべて）に接続することができる。ゆえに、光信号中継システム１０Ａでは、最大第１〜第８の光信号に対して４つの光信号を出力することができ、光信号に対応する所定の電波を選択することができる（電波選択手段）。  
【００６５】
光スイッチ３１（電波選択手段）によって選択された光信号は、第１〜第４光スイッチ（８×１）３７ａ〜３７ｄの少なくとも１つからＯ／Ｅ変換装置３２ａ〜３２ｄに光伝送される。Ｏ／Ｅ変換装置３２ａは、光スイッチ３１によって選択されて第１光スイッチ（８×１）３７ａから光伝送された光信号（受信基地局１３から送信された光信号）を電波に変換し（Ｏ／Ｅ変換手段）、Ｏ／Ｅ変換装置３２ｂは、光スイッチ３１によって選択されて第２光スイッチ（８×１）３７ｂから光伝送された光信号を電波に変換する（Ｏ／Ｅ変換手段）。Ｏ／Ｅ変換装置３２ｃは、光スイッチ３１によって選択されて第３光スイッチ（８×１）３７ｃから光伝送された光信号を電波に変換し（Ｏ／Ｅ変換手段）、Ｏ／Ｅ変換装置３２ｄは、光スイッチ３１によって選択されて第４光スイッチ（８×１）３７ｄから光伝送された光信号を電波に変換する（Ｏ／Ｅ変換手段）。  
【００６６】
光信号から変換された電波は、それらＯ／Ｅ変換装置３２ａ〜３２ｄから分配器３３ａ〜３３ｄに伝送される。それら分配器３３ａ〜３３ｄは、Ｏ／Ｅ変換装置３２ａ〜３２ｄ（Ｏ／Ｅ変換手段）によって変換された電波を第１〜第４チャンネル（第１〜第ｎチャンネル）の電波に等分（分配）する（第２分配手段）。  
【００６７】
分配器３３ａは、等分した第１〜第４チャンネルの電波のうち、光伝送用周波数（１２５２ＭＨｚ）の第１チャンネルの電波を第１伝送路３８ａに送信し、光伝送用周波数（１２７０ＭＨｚ）の第２チャンネルの電波を第２伝送路３８ｂに送信するとともに、光伝送用周波数（２３４１ＭＨｚ）の第３チャンネルの電波を第３伝送路３８ｃに送信し、光伝送用周波数（２３５９ＭＨｚ）の第４チャンネルの電波を第４伝送路３８ｄに送信する。なお、復調ユニット１４（分配器３３ａ〜３３ｄ）では、中継器１３（Ｅ／Ｏ変換装置２９）から光伝送された光信号（電波）を第１〜第４チャンネルの電波に等分しているが、電波を第１〜第ｎチャンネルのそれに等分することもできる。  
【００６８】
分配器３３ａ（第２分配手段）によって等分された第１チャンネルの電波は、第１伝送路３８ａから周波数第３変更装置３４ａに伝送される。周波数第３変更装置３４ａは、第１チャンネルの電波の光伝送用周波数（１２５２ＭＨｚ）をそれよりも低い１３０ＭＨｚの送出用周波数に変更（ダウンコンバート）し（周波数第３変更手段）、その送出用周波数の第１チャンネルの電波を放送受信機に伝送する（電波送信手段）。  
【００６９】
第２伝送路３８ｂ〜第４伝送路３８ｄでは、第１伝送路３０ａと同様に、周波数第３変更装置２４ｂ〜２４ｄが分配器３３ｂ〜３３ｄ（第２分配手段）によって等分された第２〜第４チャンネルの電波の光伝送用周波数（１２７０ＭＨｚ，２３４１ＭＨｚ，２３５９ＭＨｚ）をそれよりも低い１３０ＭＨｚの送出用周波数に変更し（周波数第３変更手段）、その送出用周波数の第２〜第４チャンネルの電波を放送受信機に伝送する（電波送信手段）。分配器３３ｂ〜３３ｄ（第２分配手段）によって等分された第１〜第４チャンネルの電波の光伝送用周波数もそれよりも低い１３０ＭＨｚの送出用周波数に変更され（周波数第３変更手段）、送出用周波数の第１〜第４チャンネルの電波が周波数第３変更装置３４ｅ〜３４ｐから放送受信機に伝送される（電波送信手段）。  
【００７０】
なお、周波数第３変更装置３４ａ〜３４ｐでは、第１伝送路３８ａ〜第４伝送路３８ｄにおいて光伝送用周波数をすべて同一の１３０ＭＨｚの送出用周波数に変更する。ただし、送出用周波数を１３０ＭＨｚに限定するものではなく、１０〜２００ＭＨｚの範囲から各放送受信機に対応する送出用周波数を選択することができる。  
【００７１】
光回線１９を介して電波から変換された光信号がそれら受信基地局１３（Ｅ／Ｏ変換装置２９による光信号送信手段）から復調ユニット１４に光伝送され、光スイッチ３１によって選択された光信号に対応する各電波が周波数第３変更装置３４ｅ〜３４ｐから放送受信機に伝送されると、モニタールーム１７の各モニター２０ａ〜２０ｐに各電波に対応する中継放送中の各映像が表示される。  
【００７２】
テレビジョン放送室１６の各スタッフは、モニタールーム１７の各モニター２０ａ〜２０ｐを視認しつつ、光スイッチ３１によってチャンネルを切り替え、最小のチャンネル数（１）から最大のチャンネル数（光スイッチ３１が１つの場合は（４）、光スイッチ３１が２つの場合は（８）、光スイッチ３１が３つの場合は（１２））までの光信号を出力し、光信号に対応する所定の電波を選択する。テレビジョン放送室１６のスタッフは、それらモニター２０ａ〜２０ｐを確認しつつ、光スイッチ３１を利用して放送チャンネルの切替を行うことで、良好な画質を有するとともに明確な映像を選択することができ、選択した映像を各受信者に提供することができる。  
【００７３】
光信号中継システム１０Ａは、当初周波数が高い状態で不要な周波数（妨害波）を除去しつつ必要な周波数のみを抽出することは困難であるが、各受信基地局１３が第１〜第４チャンネル（第１〜第ｎチャンネル）の電波の当初周波数（１．２４〜２．３７ＧＨｚの範囲の周波数）をそれよりも低い中間周波数（１０〜２００ＭＨｚの範囲の周波数）に変更した後、第１〜第４チャンネルの電波の中間周波数から不要な周波数（妨害波）を除去して必要中間周波数のみを抽出するから、周波数が高い状態
で不要な周波数を除去しつつ必要な周波数のみを抽出する場合と比較し、不要な周波数を確実に除去することができるとともに、必要な中間周波数のみを確実に抽出することができる。  
【００７４】
光信号中継システム１０Ａは、当初周波数を中間周波数に変更することで、第１〜第４チャンネルの電波の中間周波数から不要な周波数（妨害波）を確実に除去することができるから、中継放送中における電波の歪みの発生を防ぐことができ、放送局１６から明確な映像を放送することができる。  
【００７５】
光信号中継システム１０Ａは、第１〜第４チャンネルの電波の必要中間周波数のレベルを一定のそれにするから、第１〜第４チャンネルの電波のレベルを設定レベルのそれに保持することができ、レベルのバラツキがない一定レベルの電波を各受信基地局１３から復調ユニット１４に送信することができる。光信号中継システム１０Ａは、一定レベルに調節された電波を変換した光信号を復調ユニット１４が再び電波に変換してその電波を放送受信機に送信するから、一定のレベルにある映像を放送することができ、視聴者に一定レベルの映像を提供することができる。  
【００７６】
光信号中継システム１０Ａは、電波を光信号に変換し、その光信号を光回線１９によって復調ユニット１４に送信するから、雷撃や他の電磁波の影響を受けることはなく、伝送中における光信号の劣化もなく、各受信基地局１３が受信した電波と略同一のレベルや略同一の画質の電波を復調ユニット１４に送信することができる。  
【００７７】
図８は、他の一例として示す光信号中継システム１０Ｂの受信基地局１３の構成図であり、図９，１０は、光信号中継システム１０Ｂの復調ユニット１４の構成図である。図９では、光スイッチ３１を１つだけ図示しているが、光スイッチ３１を１つに限定するものではなく、マラソンコース１２の周辺に設置された受信基地局１３の数に対応する複数の光スイッチ３１が復調ユニット１４に設置される。図９は、復調ユニット１４のうちの光スイッチ３１から分配器３３ａ〜３３ｄまでの復調ユニット１４の構成を示し、図１０は、復調ユニット１４のうちの分配器３３ａ〜３３ｄから後の復調ユニット１４の構成を示す。  
【００７８】
光信号中継システム１０Ｂは、移動中継車１１Ａ，１１Ｂ（移動局）と、マラソンコース１２（移動局の移動経路）の周辺に設置された複数の受信基地局１３と、復調ユニット１４とから形成されている（図２援用）。移動中継車１１Ａ，１１Ｂから受信基地局１３に送信される電波には、１．２４〜２．３７ＧＨｚの周波数帯域の電波が使用され、移動中継車１１Ａ，１１Ｂからは、それぞれ２チャンネルの電波が受信基地局１３に送信される。なお、図８の受信基地局１３が図４のそれと異なるところは、サンプル電波を取り出し、そのサンプル電波を復調ユニット１４に光伝送する点にある。  
【００７９】
受信基地局１３は、第１分配手段、周波数第１変更手段、必要周波数抽出手段、サンプル電波分離手段、レベル調節手段、周波数第２変更手段、第１合成手段、レベル検出手段、Ａ／Ｄ変換手段、パラレル／シリアル信号変換手段、デジタル変調手段、第２合成手段、Ｅ／Ｏ変換手段、光信号送信手段の各手段を実行する。受信基地局１３は、アンテナ２２、分配器２３、周波数第１変更装置２４ａ〜２４ｄ、バンドパスフィルタ２５ａ〜２５ｄ（帯域通過フィルタ）（ＢＰＦ）、カプラ３９ａ〜３９ｄ、オートゲインコントロール２６ａ〜２６ｄ（ＡＧＣ）、周波数第２変更装置２７ａ〜２７ｄ、合成器２８、ログ・アンプ４０ａ〜４０ｄ（logarithmic amplifier）、Ａ／Ｄ変換装置４２ａ〜４２ｄおよびパラレル／シリアル信号変換装置５０を備えたマイクロコンピュータ４１、オシレータ４３（oscillator）を備えたスイッチング回路４４、合成器４５、Ｅ／Ｏ変換装置２９から形成されている。  
【００８０】
受信基地局１３では、マラソンの中継放送において移動中継車１１Ａ，１１Ｂから送信された電波をアンテナ２２が受信し、その電波がアンテナ２２から分配器２３に伝送される。分配器２３では、電波を第１〜第４チャンネル（第１〜第ｎチャンネル）の電波に等分する（第１分配手段）。分配器２３は、当初周波数（たとえば、１２５２ＭＨｚ）の第１チャンネルの電波を第１伝送路３０ａに送信し、当初周波数（たとえば、１２７０ＭＨｚ）の第２チャンネルの電波を第２伝送路３０ｂに送信するとともに、当初周波数（たとえば、２３４１ＭＨｚ）の第３チャンネルの電波を第３伝送路３０ｃに送信し、当初周波数（たとえば、２３５９ＭＨｚ）の第４チャンネルの電波を第４伝送路３０ｄに送信する。  
【００８１】
第１〜第４伝送路３０ａ〜３０ｄでは、周波数第１変更装置２４ａ〜２４ｄ、バンドパスフィルタ２５ａ〜２５ｄ、カプラ３９ａ〜３９ｄ、オートゲインコントロール２６ａ〜２６ｄ、周波数第２変更装置２７ａ〜２７ｄが周波数第１変更装置２４ａ〜２４ｄ→バンドパスフィルタ２５ａ〜２５ｄ→カプラ３９ａ〜３９ｄ→オートゲインコントロール２６ａ〜２６ｄ→周波数第２変更装置２７ａ〜２７ｄの順で第１〜第４伝送路３０ａ〜３０ｄ（給電線）に電気的に接続されている。  
【００８２】
分配器２３（第１分配手段）によって等分された第１〜第４チャンネルの電波が第１〜第４伝送路３０ａ〜３０ｄから周波数第１変更装置２４ａ〜２４ｄに伝送されると、それら周波数第１変更装置２４ａ〜２４ｄは、システム１０Ａと同様に、第１〜第４チャンネルの電波の当初周波数（１２５２ＭＨｚ，１２７０ＭＨｚ，２３４１ＭＨｚ，２３５９ＭＨｚ）をそれよりも低い１５０ＭＨｚの中間周波数（IF:Intermediate Frequency）に変更（ダウンコンバート）（周波数第１変更手段）。周波数第１変更装置２４ａ〜２４ｄでは、第１伝送路３０ａ〜第４伝送路３０ｄにおいて当初周波数をすべて同一の１５０ＭＨｚの中間周波数に変更する。中間周波数は、１５０ＭＨｚのみならず、１０〜２００ＭＨｚの範囲から選択することができる。  
【００８３】
周波数第１変更装置２４ａ〜２４ｄ（周波数第１変更手段）によって当初周波数から中間周波数に変更された第１〜第４チャンネルの電波は、周波数第１変更装置２４ａ〜２４ｄからバンドパスフィルタ２５ａ〜２５ｄに伝送される。それらバンドパスフィルタ２５ａ〜２５ｄは、第１チャンネルの電波の中間周波数から不要な周波数を除去して必要中間周波数のみを抽出する（必要周波数抽出手段）。  
【００８４】
各バンドパスフィルタ２５ａ〜２５ｄでは、第１〜第４チャンネルの電波の中間周波数から必要中間周波数を除いた残余の不要な周波数のレベル（電界強度）を４０〜８０ｄＢの範囲で減衰させる。それらバンドパスフィルタ２５ａ〜２５ｄは、不要な周波数のレベルを４０〜８０ｄＢの範囲で減衰させるから、中間周波数から不要な周波数を確実に除去することができ、第１〜第４チャンネルの電波から必要な中間周波数のみを抽出することができる。  
【００８５】
それらバンドパスフィルタ２５ａ〜２５ｄ（必要周波数抽出手段）によって不要な周波数が除去された必要中間周波数の第１〜第４チャンネルの電波は、バンドパスフィルタ２５ａ〜２５ｄからカプラ３９ａ〜３９ｄに伝送される。それらカプラ３９ａ〜３９ｄは、必要中間周波数の第１〜第４チャンネルの電波をメイン電波とサンプル電波と分配する（サンプル電波分離手段）。  
【００８６】
それらカプラ３９ａ〜３９ｄによって分配されたメイン電波は、カプラ３９ａ〜３９ｄからオートゲインコントロール２６ａ〜２６ｄに伝送され、カプラ３９ａ〜３９ｄ（サンプル電波分離手段）によって分配されたサンプル電波は、カプラ３９ａ〜３９ｄからログ・アンプ４０ａ〜４０ｄに伝送される。  
【００８７】
それらオートゲインコントロール２６ａ〜２６ｄは、第１〜第４チャンネルのメイン電波の必要中間周波数のレベル（電界強度）が弱い場合、レベルを上げて一定のレベル（設定レベル）に調節し、第１〜第４チャンネルの電波の必要中間周波数のレベル（電界強度）が強い場合、レベルを下げて一定のレベル（設定レベル）に調節する（レベル調節手段）。  
【００８８】
オートゲインコントロール２６ａ〜２６ｄ（レベル調節手段）によって必要中間周波数のレベルが一定にされた第１〜第４チャンネルのメイン電波は、オートゲインコントロール２６ａ〜２６ｄから周波数第２変更装置２７ａ〜２７ｄに伝送される。それら周波数第２変更装置２７ａ〜２７ｄは、第１〜第４チャンネルの電波の一定レベルに変更された必要中間周波数（１５０ＭＨｚ）をそれよりも高い当初周波数と同一の光伝送用周波数（１２５２ＭＨｚ，１２７０ＭＨｚ，２３４１ＭＨｚ，２３５９ＭＨｚ）に変更（アップコンバート）する（周波数第２変更手段）。  
【００８９】
周波数第２変更装置２７ａ〜２７ｄ（周波数第２変更手段）によって中間周波数から光伝送用周波数に変更された第１〜第４チャンネルのメイン電波は、周波数第２変更装置２７ａ〜２７ｄから合成器２８に伝送される。光伝送用周波数に変更された第１〜第４チャンネル（第１〜第ｎチャンネル）のメイン電波が周波数第２変更装置２７ａ〜２７ｄから合成器２８に伝送されると、合成器２８は、光伝送用周波数に変更された第１〜第４チャンネルのメイン電波を単一のメイン電波に合成する（第１合成手段）。  
【００９０】
カプラ３９ａ〜３９ｄから第１〜第４チャンネルのサンプル電波が伝送されると、それらログ・アンプ４０ａ〜４０ｄは、そのサンプル電波の出力を入力に対する対数関数（log）に変更する。ログ・アンプ４０ａ〜４０ｄによって対数関数に変換された信号は、ログ・アンプ４０ａ〜４０ｄからマイクロコンピュータ４１に伝送される（レベル検出手段）。  
【００９１】
マイクロコンピュータ４１のＡ／Ｄ変換装置４２ａ〜４２ｄは、対数関数に変換された第１〜第４チャンネルのサンプル電波の信号をアナログ信号からデジタル信号に変換する（Ａ／Ｄ変換手段）。Ａ／Ｄ変換装置４２ａ〜４２ｄ（Ａ／Ｄ変換手段）によってアナログ信号から変換されたデジタル信号は、パラレル／シリアル変換装置５０に伝送され、パラレル／シリアル変換装置５０によってシリアルデジタル信号に変換される（パラレル／シリアル信号変換手段）。シリアルデジタル信号は、パラレル／シリアル変換装置５０からオシレータ４３を有するスイッチング回路４４に伝送され、スイッチング回路４４によって1ビットずつ連続的に振幅偏移変調される（デジタル変調手段）。  
【００９２】
合成器２８（第１合成手段）によって合成されたメイン電波とスイッチング回路４４（デジタル変調手段）によって振幅偏移変調されたシリアルデジタル信号とは、合成器４５に伝送される。合成器４５は、メイン電波とシリアルデジタル信号（第１〜第４チャンネルのサンプル電波）とを合成する（第２合成手段）。合成器４５（第２合成手段）によって合成されたメイン電波とシリアルデジタル信号とは、合成器４５からＥ／Ｏ変換装置２９に伝送される。Ｅ／Ｏ変換装置２９は、合成されたメイン電波およびシリアルデジタル信号を光信号に変換するとともに（Ｅ／Ｏ変換手段）、その光信号（レーザ光）を光回線１９を介して復調ユニット１４に送信する（光信号送信手段）。  
【００９３】
復調ユニット１４は、光スイッチ３１、Ｏ／Ｅ変換装置３２ａ〜３２ｄ、分配器４６ａ〜４６ｄ、分配器３３ａ〜３３ｄ、周波数第３変更装置３４ｂ〜３４ｐ、復調器４７ａ〜４７ｄ、シリアル／パラレル変換装置５１およびＤ／Ａ変換装置４９ａ〜４９ｐを備えたマイクロコンピュータ４８ａ〜４８ｄから形成されている。復調ユニット１４は、電波選択手段、Ｏ／Ｅ変換手段、第３分配手段、第２分配手段、周波数第３変更手段、電波送信手段、シリアル／パラレル信号変換手段、Ｄ／Ａ変換手段、レベル表示手段、デジタル変調信号選択手段の各手段を実行する。  
【００９４】
復調ユニット１４に２つの光スイッチ３１が設置された場合、それら２つの光スイッチ３１毎に、４つのＯ／Ｅ変換装置３２ａ〜３２ｄ、４つの分配器４６ａ〜４６ｄ、４つの分配器３３ａ〜３３ｄ、１６の周波数第３変更装置３４ｂ〜３４ｐ、４つの復調器４７ａ〜４７ｄ、４つの
マイクロコンピュータ４８ａ〜４８ｄ、１６のレベルゲージ５０ｂ〜５０ｐが設置される。  
【００９５】
光スイッチ３１の構成はシステム１０Ａのそれと同一であるから、図７およびその説明を援用することで、光スイッチ３１の説明は省略する。光信号中継システム１０Ｂでは、第１〜第４光スイッチ（８×１）３７ａ〜３７ｄが第１〜第８光分配器（１×４）３６ａ〜３６ｈのうちの少なくとも１つのそれに接続される。したがって、１つの光スイッチ３１において最大第１〜第８の光信号に対して任意の４つの光信号を出力可能であり（光スイッチ３１が２つの場合は８（個）、光スイッチ３１が３つの場合は１２（個））、光信号の中から所定の光信号を出力することで、光信号に対応する所定の電波を選択することができるとともに（電波選択手段）、光信号に対応する所定のデジタル変調信号を選択することができる（デジタル変調信号選択手段）。  
【００９６】
光スイッチ３１（電波選択手段）によって選択された光信号は、第１〜第４光スイッチ（８×１）３７ａ〜３７ｄの少なくとも１つからＯ／Ｅ変換装置３２ａ〜３２ｄに光伝送される。Ｏ／Ｅ変換装置３２ａは、光スイッチ３１によって選択されて第１光スイッチ（８×１）３７ａから光伝送された光信号（受信基地局１３から送信された光信号）を合成されたメイン電波およびシリアルデジタル信号に変換し（Ｏ／Ｅ変換手段）、Ｏ／Ｅ変換装置３２ｂは、光スイッチ３１によって選択されて第２光スイッチ（８×１）３７ｂから光伝送された光信号を合成されたメイン電波およびシリアルデジタル信号に変換する（Ｏ／Ｅ変換手段）。Ｏ／Ｅ変換装置３２ｃは、光スイッチ３１によって選択されて第３光スイッチ（８×１）３７ｃから光伝送された光信号を合成されたメイン電波およびシリアルデジタル信号に変換し（Ｏ／Ｅ変換手段）、Ｏ／Ｅ変換装置３２ｄは、光スイッチ３１によって選択されて第４光スイッチ（８×１）３７ｄから光伝送された光信号を合成されたメイン電波およびシリアルデジタル信号に変換する（Ｏ／Ｅ変換手段）。  
【００９７】
光信号から変換されたメイン電波およびシリアルデジタル信号は、それらＯ／Ｅ変換装置３２ａ〜３２ｄから分配器４６ａ〜４６ｄに伝送される。それら分配器４６ａ〜４６ｄは、Ｏ／Ｅ変換装置３２ａ〜３２ｄ（Ｏ／Ｅ変換手段）によって変換されたメイン電波およびシリアルデジタル信号をメイン電波とシリアルデジタル信号とに等分（分配）する（第３分配手段）。分配器４６ａ〜４６ｄによって分配された電波は、分配器４６ａ〜４６ｄから分配器３３ａ〜３３ｄに伝送される。それら分配器３３ａ〜３３ｄは、分配器４６ａ〜４６ｄ（第３分配手段）によって分配された電波を第１〜第４チャンネル（第１〜第ｎチャンネル）の電波に等分（分配）する（第２分配手段）。  
【００９８】
それら分配器３３ａ〜３３ｄは、光伝送用周波数（１２５２ＭＨｚ，１２７０ＭＨｚ，２３４１ＭＨｚ，２３５９ＭＨｚ）の第１〜第４チャンネルの電波を第１〜第４伝送路３８ａ〜３８ｄに送信する。なお、分配器３３ａ〜３３ｄでは、中継器１３（Ｅ／Ｏ変換装置２９）から光伝送された光信号（電波）を第１〜第４チャンネルの電波に等分しているが、電波を第１〜第ｎチャンネルのそれに等分することもできる。  
【００９９】
分配器３３ａ〜３３ｄ（第２分配手段）によって等分された第１〜第４チャンネルの電波は、第１〜第４伝送路３８ａ〜３８ｄから周波数第３変更装置３４ａ〜３４ｄに伝送される。それら周波数第３変更装置３４ａ〜３４ｄは、第１〜第４チャンネルの電波の光伝送用周波数（１２５２ＭＨｚ，１２７０ＭＨｚ，２３４１ＭＨｚ，２３５９ＭＨｚ）をそれよりも低い１３０ＭＨｚの送出用周波数に変更（ダウンコンバート）し（周波数第３変更手段）、その送出用周波数の第１〜第４チャンネルの電波を放送受信機に伝送する（電波送信手段）。周波数第３変更装置３４ａ〜３４ｐでは、第１伝送路３８ａ〜第４伝送路３８ｄにおいて光伝送用周波数をすべて同一の１３０ＭＨｚの送出用周波数に変更する。なお、送出用周波数を１３０ＭＨｚに限定するものではなく、１０〜２００ＭＨｚの範囲から各放送受信機に対応する送出用周波数を選択することができる。  
【０１００】
分配器４６ａ〜４６ｄ（第３分配手段）によって分配されたシリアルデジタル信号は、分配器４６ａ〜４６ｄから復調器４７ａ〜４７ｄに伝送される。それら復調器４７ａ〜４７ｄは、スイッチング回路４４によって1ビットずつ連続的に振幅偏移変調されたデジタル変調信号を元のシリアルデジタル信号に戻す。復調器４７ａ〜４７ｄによって復調されたシリアルデジタル信号は、復調器４７ａ〜４７ｄからマイクロコンピュータ４８ａ〜４８ｄに伝送される。  
【０１０１】
マイクロコンピュータ４８ａ〜４８ｄに伝送されたシリアルデジタル信号は、シリアル／パラレル変換装置５１によって第１〜第４のデジタル信号に変換された後（シリアル／パラレル信号変換手段）、Ｄ／Ａ変換装置４９ａ〜４９ｐに伝送される。Ｄ／Ａ変換装置４９ａ〜４９ｐは、第１〜第４のデジタル信号を第１〜第４チャンネルのサンプル電波（受信レベル）のアナログ信号に変換する（Ｄ／Ａ変換手段）。Ｄ／Ａ変換装置４９ａ〜４９ｐ（Ｄ／Ａ変換手段）によって第１〜第４のデジタル信号から変換された第１〜第４チャンネルのサンプル電波（受信レベル）は、各レベルゲージ２１ａ〜２１ｐに伝送される。それらレベルゲージ２１ａ〜２１ｐでは、第１〜第４チャンネルのサンプル電波の受信レベル（電界強度）をアナログ表示する（レベル表示手段）。  
【０１０２】
光信号中継システム１０Ｂは、各サンプル電波の受信レベルがアナログ表示されるから、サンプル電波のレベルを視認し易く、各サンプル電波に対応する各メイン電波のレベルを容易に知ることができる。なお、第１〜第４デジタル信号をＤ／Ａ変換することなく、その第１〜第４デジタル信号に基づいてサンプル電波の受信レベルをデジタル表示することもできる（レベル表示手段）。  
【０１０３】
光回線１９を介して電波から変換された光信号がそれら受信基地局１３（Ｅ／Ｏ変換装置２９による光信号送信手段）から復調ユニット１４に光伝送され、光スイッチ３１によって選択された光信号に対応する各メイン電波が周波数第３変更装置３４ｅ〜３４ｐから放送受信機に伝送されると、モニタールーム１７の各モニター２０ａ〜２０ｐに各メイン電波に対応する中継放送中の各映像が表示される。  
【０１０４】
テレビジョン放送室１６の各スタッフは、モニタールーム１７の各モニター２０ａ〜２０ｐを視認しつつ、光スイッチ３１によってチャンネルを切り替え、光信号に対応する所定のメイン電波を選択する。テレビジョン放送室１６のスタッフは、それらモニター２０ａ〜２０ｐを確認しつつ、光スイッチ３１を利用して放送チャンネルの切替を行うことで、良好な画質を有するとともに明確な映像を選択することができ、選択した映像を各受信者に提供することができる。  
【０１０５】
さらに、光回線１９を介してデジタル信号から変換された光信号がそれら受信基地局１３（Ｅ／Ｏ変換装置２９による光信号送信手段）から復調ユニット１４に光伝送（デジタル変調通信）され、光スイッチ３１によって選択された光信号に対応する第１〜第４チャンネルのサンプル電波のアナログ信号が各レベルゲージ２１ａ〜２１ｐに伝送されると、モニタールーム１７の各レベルゲージ２１ａ〜２１ｐに中継放送中の各メイン電波に対応するサンプル電波の受信レベルが表示される。  
【０１０６】
テレビジョン放送室１６の各スタッフは、モニタールーム１７の各レベルゲージ２１ａ〜２１ｐを視認しつつ、光スイッチ３１によってチャンネルを切り替え、最小のチャンネル数から最大のチャンネル数までの光信号を出力し、光信号に対応する所定のサンプル電波を選択する。テレビジョン放送室１６のスタッフは、それらレベルゲージ２１ａ〜２１ｐを確認しつつ、光スイッチ３１を利用して放送チャンネルの切替を行うことで、良好なレベルを有する映像を選択することができ、選択した映像を各受信者に提供することができる。  
【０１０７】
光信号中継システム１０Ｂは、光信号中継システム１０Ａが有する効果に加え、以下の効果を有する。光信号中継システム１０Ｂは、マラソンの中継放送において移動中継車１１Ａ，１１Ｂと各受信基地局１３との離間距離によってメイン電波のレベル（電界強度）が変わるが、それらメイン電波に対応するサンプル電波のレベルをレベルゲージ２１ａ〜２１ｐに表示することで、各サンプル電波に対応する各メイン電波のレベルを知ることができ、良好なレベルの電波を選択してその電波を各放送受信機に送信することができる。光信号中継システム１０Ｂは、良好なレベルの電波を各放送受信機に送信することができるから、各放送受信機において良好かつ明確な画質の映像を放送することができる。
【符号の説明】
【０１０８】
１０Ａ  光信号中継システム
１０Ｂ  光信号中継システム
１１Ａ，１１Ｂ  移動中継車
１２    マラソンコース
１３    受信基地局
１４    復調ユニット
１５    陸上競技場
１６    テレビジョン放送室（テレビ局）
１７    モニタールーム
１８    マラソンランナー
１９    光回線
２０ａ〜２０ｐ  モニター
２１ａ〜２１ｐ  レベルゲージ
２２    アンテナ
２３    分配器
２４ａ〜２４ｄ  周波数第１変更装置
２５ａ〜２５ｂ  バンドパスフィルタ
２６ａ〜２６ｄ  オートゲインコントロール
２７ｂ〜２７ｄ  周波数第２変更装置
２８    合成器
２９    Ｅ／Ｏ変換装置
３０ａ  第１伝送路
３０ｂ  第２伝送路
３０ｃ  第３伝送路
３０ｄ  第４伝送路
３１    光スイッチ
３２ａ〜３２ｄ  Ｏ／Ｅ変換装置
３３ａ〜３３ｄ  分配器
３４ａ〜３４ｐ  周波数第３変更装置
３５ａ〜３５ｈ  第１〜第８光増幅器
３６ａ〜３６ｈ  第１〜第８入力端子
３７ａ〜３７ｄ  第１〜第４出力端子
３８ａ  第１伝送路
３８ｂ  第２伝送路
３８ｃ  第３伝送路
３８ｄ  第４伝送路
３９ａ〜３９ｄ  カプラ
４０ａ〜４０ｄ  ログ・アンプ（logarithmic amplifier）
４１    マイクロコンピュータ
４２ａ〜４２ｄ  Ａ／Ｄ変換装置
４３    オシレータ（oscillator）
４４スイッチング回路
４５    合成器
４６ａ〜４６ｄ  分配器
４７ａ〜４７ｄ  復調器
４８ａ〜４８ｄ  マイクロコンピュータ
４９ａ〜４９ｐ  Ｄ／Ａ変換装置
５０    パラレル／シリアル変換装置
５１    シリアル／パラレル変換装置
【図１】
2015070447.tif 000003
【図２】
2015070447.tif 000004
【図３】
2015070447.tif 000005
【図４】
2015070447.tif 000006
【図５】
2015070447.tif 000007
【図６】
2015070447.tif 000008
【図７】
2015070447.tif 000009
【図８】
2015070447.tif 000010
【図９】
2015070447.tif 000011
【図１０】
2015070447.tif 000012